(57)【要約】      （修正有）【課題】天板側方等に形成される通路を人が通行した際の人感センサの誤検知により照明器具に通電され、電力消費の削減効果が損なわれる不具合の発生を抑制する。【解決手段】天板と、天板の反使用端上に照明器具を支持する支持要素２と、天板を使用する使用者の作業領域に特定して照準を合わせており照射範囲内に使用者の存在を検知した際に照明器具に対する通電が行われるようにするための人感センサたる人感センサ本体４１を有する人感センサ部４と、前記人感センサ本体による通路側の照射を抑制する照射抑制手段５とを備える照明システムを採用する。前記照射抑制手段が、前記人感センサの通路側を少なくとも被覆する被覆材５１である。【選択図】図４
2013105663.tif 000002
【特許請求の範囲】
【請求項１】
天板と、天板の反使用端上に照明器具を支持する支持要素と、天板を使用する使用者の作業領域に特定して照準を合わせており照射範囲内に使用者の存在を検知した際に照明器具に対する通電が行われるようにするための人感センサを有する人感センサ部と、前記人感センサによる通路側の照射を抑制する照射抑制手段とを備えることを特徴とする照明システム。
【請求項２】
前記照射抑制手段が、前記人感センサの通路側を少なくとも被覆する被覆材である請求項１記載の照明システム。
【請求項３】
前記支持要素が、対をなす支柱と、これら支柱の上端間を接続しているとともに下面に照明器具を支持させてなる横架材とを備え、この横架材に前記人感センサ部をさらに支持させている請求項１又は２記載の照明システム。
【請求項４】
前記横架材と前記支柱とが形成する隅部又はその近傍に前記人感センサ部を設けている請求項３記載の照明システム。
【請求項５】
前記天板を備えた天板付き家具の反使用端上方に前記支持要素を設けているとともに、この支持要素にオプション部材を取り付け可能である請求項１、２、３又は４記載の照明システム。
【請求項６】
前記天板を備えた天板付き家具と、自立可能な前記支持要素とを別体に設けている請求項１、２、３又は４記載の照明システム。
【発明の詳細な説明】
【技術分野】
【０００１】
本発明は、オフィス等において用いられ、主として天板を使用する人の作業領域を照明するための照明システムに関する。
【背景技術】
【０００２】
従来より、オフィス等において、電力消費の削減を図るべく、従来の天井照明に代えて支持要素に支持された照明器具を天板の反使用端上に配するとともに、天板の使用端に該天板を使用する者が着座していることを検知する人感センサを配し、この人感センサが天板前方に該天板を使用する者が着座していることを検知している際にのみ前記照明器具に通電が行われるようにしている照明システムが考えられてきている（例えば、特許文献１を参照）。
【０００３】
ところが、このような照明システムにおいて、従来は人感センサの照射範囲が天板の使用端側全域に及んでいた。すなわち、人感センサの照射範囲に天板側方等に形成される通路が含まれてしまうことがあった。そのため、天板側方等に形成される通路を人が通行した際にも、人感センサが天板の使用端側に着座者が着座したと誤検知して照明器具に通電され、電力消費の削減効果が損なわれるという不具合が存在する。
【先行技術文献】
【特許文献】
【０００４】
【特許文献１】特開２０１１−１４７６６６号公報
【発明の概要】
【発明が解決しようとする課題】
【０００５】
本発明は以上の点に着目し、通路を人が通行した際の人感センサの誤検知により照明器具に通電され、電力消費の削減効果が損なわれる不具合の発生を抑制することを目的とする。
【課題を解決するための手段】
【０００６】
すなわち本発明の照明システムは、天板と、天板の反使用端上に照明器具を支持する支持要素と、天板を使用する使用者の作業領域に特定して照準を合わせており照射範囲内に使用者の存在を検知した際に照明器具に対する通電が行われるようにするための人感センサを有する人感センサ部と、前記人感センサによる通路側の照射を抑制する照射抑制手段とを備えることを特徴とする。
【０００７】
このようなものであれば、通路を人が通行し、通行人が天板付近に達した場合であっても、前記照射抑制手段により人感センサによる通路側の照射が抑制され、従って人感センサによる誤検知が抑制される。なお、本発明において、「天板の反使用端」とは、対向する両端をともに使用端としている天板における前記両端の中間部分を含む概念である。
【０００８】
このような照射抑制手段を容易に実現するための態様の一例として、この照射抑制手段が、前記人感センサの通路側を少なくとも被覆する被覆材であるものが挙げられる。このようなものであれば、被覆材により人感センサの通路側が被覆されているので通路を人が通行していても通行人が照射を受けることなく、通行人が検知されることがないからである。
【０００９】
また、人感センサ部の取付態様の一例として、前記支持要素が、対をなす支柱と、これら支柱の上端間を接続しているとともに下面に照明器具を支持させてなる横架材とを備え、この横架材に前記人感センサ部をさらに支持させているものが挙げられる。
【００１０】
前記作業領域内に使用者が存在していることを有効に検知させるようにするための構成の一例として、前記横架材と前記支柱とが形成する隅部又はその近傍に前記人感センサ部を設けているものが挙げられる。
【００１１】
このような照明システムの好適な一例として、前記天板を備えた天板付き家具の反使用端上方に前記支持要素を設けているとともに、この支持要素にオプション部材を取り付け可能であるものが挙げられる。
【００１２】
このような照明システムの他の好適な一例として、前記天板を備えた天板付き家具と、自立可能な前記支持要素とを別体に設けているものが挙げられる。
【発明の効果】
【００１３】
本発明によれば、通路を人が通行した際の人感センサの誤検知により照明器具に通電され、電力消費の削減効果が損なわれる不具合の発生を抑制することができる。
【図面の簡単な説明】
【００１４】
【図１】本発明の一実施形態に係る照明システムを示す斜視図。
【図２】同実施形態に係る照明システムを示す正面図。
【図３】同実施形態に係る照明システムを示す平面図。
【図４】同実施形態に係る人感センサ部の取付態様を示す底面斜視図。
【図５】同実施形態に係る人感センサ部を示す底面図。
【図６】同実施形態に係る人感センサ部を示す正面図。
【図７】同実施形態に係る人感センサ部を示す側面図。
【図８】同実施形態に係る人感センサ部を示す平面図。
【図９】本発明の他の実施形態に係る照明システムを示す分解斜視図。
【図１０】同実施形態に係る照明システムを示す斜視図。
【図１１】本発明の他の実施形態に係る照明システムを示す正面図。
【発明を実施するための形態】
【００１５】
以下本発明の一実施形態を、図１〜図８を参照して説明する。
【００１６】
本実施形態に係る照明システムＳは、図１〜図３に示すように、脚１２に天板１１を支持させてなる天板付き家具１と、この天板付き家具１の天板の反使用端１１ｂから起立する支柱２１を介して照明器具３を支持させてなる支持要素２と、この支持要素２に取り付けられ天板１１を使用する使用者の作業領域Ｒ１に特定して照準を合わせており照射範囲Ｒ２内に使用者の存在を検知した際に照明器具３に対する通電が行われるようにするための人感センサ部４とを備えている。
【００１７】
より具体的には、前記天板付き家具１は、図１〜図３に示すように、互いに反使用端１１ｂを対向させた１対の矩形状をなす天板１１と、これら１対の天板１１の側端縁をそれぞれ支持する脚１２と、前記天板１１の反使用端１１ｂ間に形成される配線挿通空間を被覆する蓋体１３とを備えている。前記天板１１の使用端１１ａには、それぞれ２名ずつが着座可能であり、幅方向中央１ｘを境界として天板面の半分ずつをそれぞれ各着座者すなわち使用者の作業領域Ｒ１としている。そして、この天板１１の両側端縁１１ｃの外側に、通路Ａを設定している。
【００１８】
前記支持要素２は、図１〜図３に示すように、前記脚１２に支持させてなるとともに前記天板１１の反使用端１１ｂの幅方向両端から起立する１対の支柱２１と、これら支柱２１の上端間を接続しているとともに、下面に照明器具３を支持させてなる横架材２２とを備えている。また本実施形態では、前記支柱２１内に前記照明器具３に電力を供給するための電力コードを収納可能な図示しない配線収納空間を備えている。さらに、この支持要素２には、パネル９等のオプション部材を取り付け可能である。
【００１９】
前記照明器具３は、複数のＬＥＤを組み合わせてなるもので、上述したように天板１１の反使用端１１ｂの上方に前記支持要素２を介して支持されている。また、この照明器具３は、前記支持要素２の幅方向中央、より具体的には前記横架材２２の幅方向中央を挟んで幅方向両側にそれぞれ１つずつ、合わせて２つ設けている。
【００２０】
前記人感センサ部４は、本実施形態では上述したように、また図４〜図８に示すように、天板１１を使用する使用者の作業領域Ｒ１に特定して照準を合わせられ照射範囲Ｒ２内に使用者の存在を検知した際に前記照明器具３に対する通電を行わせるべく信号を発する人感センサ本体４１と、前記人感センサ本体４１が前記信号を発した際、すなわち該人感センサ本体４１の照射範囲Ｒ２内に使用者の存在を検知した際に通電状態となるスイッチング素子４２と、これら人感センサ本体４１及びスイッチング素子４２に接続してなりこれらの制御を行う制御装置４３と、これら人感センサ本体４１、スイッチング素子４２及び制御装置４３を収納するとともに下面に前記人感センサを露出させるためのセンサ露出孔４４ｘを有する略直方体状の筐体４４とを備えている。前記人感センサ本体４１は、その一部が前記センサ露出孔４４ｘを通過して外部に露出しており、照射範囲Ｒ２内、すなわち主として天板面上の作業領域Ｒ１内において作業者の手等の熱源の動きを検知した際に、照射範囲Ｒ２内に使用者の存在を検知していることを示す信号を出力する。前記制御装置４３は、例えばＣＰＵ、記憶装置、入出力インタフェース、及びタイマを少なくとも備えたマイクロコンピュータシステムを主体に構成したものであり、前記人感センサ本体４１からその照射範囲Ｒ２内に使用者の存在を検知していることを示す信号を受け付けた際に、信号を受け付けた時刻を起点として所定時間、例えば３分間だけ前記スイッチング素子４２を通電状態とする制御を行う。また、前記信号を受け付けてから前記所定時間経過する以前に再度前記信号を受け付けた場合には、前記所定時間のカウントは破棄して再度前記信号を受け付けた時刻を起点として前記所定時間だけ前記スイッチング素子４２を通電状態とする制御を行う。すなわち、天板１１の使用端１１ａに使用者が着座している際には、天板１１の使用領域内において使用者の手等の動きが前記所定時間よりも短い間隔で検知されるので、使用者が天板１１の使用端１１ａに着座した時刻を起点として使用者が天板１１の使用端１１ａから離れてから前記所定時間が経過するまでの間、前記スイッチング素子４２が通電状態となり、前記照明装置に電力が供給される。前記筐体４４は、前述したように前記人感センサ本体４１、前記スイッチング素子４２及び前記制御装置４３をその内部に収納するとともに、その下面４４ａに前記人感センサを露出させるためのセンサ露出孔４４ｘを有する。また、この筐体４４に上面には磁石４５が設けられており、図１〜図４に示すように、この磁石４５を介して前記支持要素２の横架材２２の長手方向両端の下面に設けられ鉄等の磁性体により形成された板状の人感センサ取付部材２２ａの下面にこの人感センサ部４が取り付けられる。換言すれば、この人感センサ部４は、前記横架材２２と前記支柱２１とが形成する隅部に設けられている。さらに、この人感センサ部４及び前記照明装置３の高さ位置は、人感センサ本体４１が前記作業領域Ｒ１に作業者が着座していることの検知を効果的に行えるようにすべく、天板１１の天板面から上方に７５０〜９００ｍｍの位置、より望ましくは天板１１の天板面から上方に８４０〜８５０ｍｍの位置、さらに具体的には天板１１の天板面から上方に８４６ｍｍの位置に設定している。
【００２１】
しかして本実施形態に係る照明システムＳは、前記人感センサ部４、より具体的には人感センサ本体４１による通路Ａ側の照射を抑制する照射抑制手段５をさらに備えている。
【００２２】
具体的には、この照射抑制手段５は、図４〜図７に示すように、前記人感センサ部４の筐体４４の下面４４ａに設けられ、前記センサ露出孔４４ｘのうち所定角度範囲、例えば１３０度の領域のみを開放し、その他の領域、すなわち通路Ａ側半分全体を含む領域を被覆する半球状の被覆材５１を利用して形成されている。そして、この被覆材５１が前記センサ露出孔４４ｘの下方の領域、換言すれば前記人感センサ本体４１の下方の領域の一部を被覆していることにより、前記人感センサ本体４１による照射範囲Ｒ２は、各天板面の左右各半分の使用領域の中央部、及び天板１１の使用端１１ａ前方の一部の領域に限定され、人感センサ本体４１による通路Ａ側の照射は抑制される。
【００２３】
すなわち本発明の照明システムＳの構成によれば、通路Ａを人が通行し、通行人が天板１１の側端縁１１ｃ近傍に達した場合であっても、前記照射抑制手段５により人感センサ本体４１による通路Ａ側の照射は抑制されているので、人感センサによる誤検知が抑制される。従って、通路Ａを人が通行した際の人感センサの誤検知により照明器具３に通電され、電力消費の削減効果が損なわれる不具合の発生を抑制することができる。
【００２４】
また、前記照射抑制手段５を、前記人感センサ本体４１の通路Ａ側を少なくとも被覆する被覆材５１を利用して形成しているので、通路Ａ側を人が通行していても通行人が照射されず、通行人が検知されることがない。従って、このような照射抑制手段５を少ない部品点数で容易に実現することができる。
【００２５】
さらに、前記支持要素２が、対をなす支柱２１と、これら支柱２１の上端間を接続しているとともに下面に照明器具３を支持させてなる横架材２２とを備え、この横架材２２の長手方向端部に前記人感センサ部４をさらに支持させているので、簡単な構成によりこのような人感センサ部４の照射範囲Ｒ２を天板１１の使用領域に設定できる。
【００２６】
加えて、前記照明器具３がその光源としてＬＥＤを利用しているので、更なる電力消費の削減を図ることができる。
【００２７】
そして、前記横架材２２と前記支柱２１とが形成する隅部に前記人感センサ部４を設けているので、天板１１の左右両半部にそれぞれ設定した前記作業領域Ｒ１内に作業者が存在していることを有効に検知させることができる。
【００２８】
なお、本発明は以上に述べた実施形態に限らない。
【００２９】
例えば、図９及び図１０に示すように、対をなす支柱Ｘ２１と、これら支柱Ｘ２１の上端間を接続するとともに図示しない照明器具を支持する上横架材Ｘ２２と、前記支柱Ｘ２１の下端間を接続する下横架材Ｘ２３と、この下横架材Ｘ２３の下方に設けられ前記支柱Ｘ２１、前記上横架材Ｘ２２及び前記下横架材Ｘ２３を支持する脚Ｘ２４とを有する自立可能な枠状の支持要素Ｘ２と、天板Ｘ１１及び天板Ｘ１１を支持する脚Ｘ１２を備え前記支持要素Ｘ２の前後いずれかの面に天板Ｘ１１の反使用端Ｘ１１ｂを対向させた天板付き家具Ｘ１と、天板Ｘ１を使用する使用者の作業領域に特定して照準を合わせており照射範囲内に使用者の存在を検知した際に前記照明器具に対する通電が行われるようにするための人感センサを有する人感センサ部Ｘ４とを備えた家具システムＸＳに本発明を適用してもよい。すなわち、この家具システムＸＳにおいて、人感センサ部Ｘ４の人感センサ本体による通路ＸＡ側の照射を抑制する照射抑制手段を設けてもよい。この照射抑制手段の一例として、例えば上述した実施形態に係るものと同様に人感センサ本体の通路側ＸＡを被覆する被覆材を利用したものが挙げられる。
【００３０】
また、図１１に示すように、天板Ｙ１１及びこの天板Ｙ１１を支持する脚Ｙ１２を備えた天板付き家具Ｙ１と、この天板付き家具Ｙ１の天板Ｙ１１の反使用端の長手方向中央から起立する支柱Ｙ２１、この支柱Ｙ２１の左右両側にそれぞれ設けられ天板付き家具の天板面を照明する第１の照明器具Ｙ３１を支持する第１の支持要素Ｙ２２、及び前記支柱Ｙ２１の上端に設けられ天井を照明する第２の照明器具Ｙ３２を支持する第２の支持要素を有する支持要素Ｙ２と、天板Ｙ１を使用する使用者の作業領域に特定して照準を合わせており照射範囲内に使用者の存在を検知した際に照明器具Ｙ３１、Ｙ３２に対する通電が行われるようにするための人感センサを有する人感センサ部Ｙ４とを備えた家具システムＹＳに本発明を適用してもよい。すなわち、この家具システムＹＳにおいて、人感センサ部Ｙ４の人感センサ本体Ｙ４１による通路ＹＡ側の照射を抑制すべくこの人感センサ本体Ｙ４１の通路ＹＡ側を被覆する被覆材を利用した照射抑制手段Ｙ５を設けるようにしてもよい。
【００３１】
さらに、人感センサを被覆する被覆材を利用するものに限らず、人感センサに黒色インクによる塗装を施す等、他の方法により照射抑制手段を形成してもよい。
【００３２】
加えて、光源としてＬＥＤ以外を利用した照明器具を利用した家具システムに本発明を適用してももちろんよい。
【００３３】
また、図１〜図８を参照しつつ前述した実施形態において、天板を１枚のみ設け、その一端縁のみを使用端としている天板付き家具を利用するとともに、該天板付き家具の反使用端側に支持要素を設けている照明システムに本発明を適用してもよい。この場合、人感センサ本体を露出させるためのセンサ露出孔のうち１３０度の領域のみを開放した被覆材を利用した前述した実施形態に係る照射抑制手段に代えて、前記センサ露出孔のうち６５度の領域のみを開放した被覆材を利用した照射抑制手段を採用するとよい。さらに、図９及び図１０を参照しつつ前述した態様において、支持要素の前後いずれか一面にのみ天板付き家具を配している照明システムに本発明を適用してももちろんよい。これらの態様において、支持要素の天板付き家具を配していない側は、建築壁面に近づける、或いはオプション部材として該支持要素に視線を遮断するためのパネル要素を取り付ける等の構成が考えられる。
【００３４】
そして、人感センサ部の設置箇所は、支持要素の支柱と対をなす前記支柱の上端間を接続する横架材とが形成する隅部に限らず、例えば、天板の使用端に１名のみが着座する態様や３名が着座する態様においては、前記横架材の長手方向中央部に設けるようにしてもよい。
【００３５】
その他、本発明の趣旨を損ねない範囲で種々に変形してよい。
【符号の説明】
【００３６】
１１…天板
２…支持要素
３…照明器具
４…人感センサ部
５…照射抑制手段
【図１】
2013105663.tif 000003
【図２】
2013105663.tif 000004
【図３】
2013105663.tif 000005
【図４】
2013105663.tif 000006
【図５】
2013105663.tif 000007
【図６】
2013105663.tif 000008
【図７】
2013105663.tif 000009
【図８】
2013105663.tif 000010
【図９】
2013105663.tif 000011
【図１０】
2013105663.tif 000012
【図１１】
2013105663.tif 000013